(57)【要約】【課題】建築現場における共用する資機材の数を把握しやすくする。【解決手段】建築現場において複数の作業者が共用する資機材を管理するための情報処理システムが、前記資機材に設けられる発信手段から発信される信号に基づいて、前記建築現場における前記資機材が存在するエリアを特定するエリア特定手段と、前記エリア特定手段が特定する結果に基づいて、当該エリアにおける前記資機材の数を特定可能な数特定情報を出力する出力手段とを含む。【選択図】図４
2019179357.tif 000002
【特許請求の範囲】
【請求項１】
建築現場において複数の作業者が共用する資機材を管理するための情報処理システムであって、
前記資機材に設けられる発信手段から発信される信号に基づいて、前記建築現場における前記資機材が存在するエリアを特定するエリア特定手段と、
前記エリア特定手段が特定する結果に基づいて、当該エリアにおける前記資機材の数を特定可能な数特定情報を出力する出力手段と
を含む情報処理システム。
【請求項２】
前記資機材に関するプロフィール情報と、前記発信手段とを対応させて登録する登録手段を更に含み、
前記出力手段は、
前記数特定情報として、一のエリアに複数の資機材が存在することを示すアイコンを表示可能であり、
該アイコンが指定されることにより、当該アイコンに対応する資機材のうち、少なくともいずれかの資機材に関するプロフィール情報を表示する
請求項１に記載の情報処理システム。
【請求項３】
前記建築現場にて建築する建築物の図面データを入力する図面データ入力手段を更に含み、
前記出力手段は、
前記図面データが示す図面を表示する図面表示手段と、
前記図面表示手段が表示する図面に対応させて、前記エリアと、前記数特定情報とのうち、少なくとも一方を表示する対応表示手段とを更に含む
請求項１又は２に記載の情報処理システム。
【請求項４】
前記建築現場にて建築する建築物の階層別に、前記エリアが割り当てられており、
前記出力手段は、前記数特定情報として、前記階層ごとの前記資機材の合計数を表示する
請求項１乃至３のいずれか１項に記載の情報処理システム。
【請求項５】
前記資機材を特定する条件が入力されると、前記資機材のうち、前記条件に該当する資機材を検索する検索手段を更に含む
請求項１乃至４のいずれか１項に記載の情報処理システム。
【請求項６】
前記出力手段は、携帯端末に出力可能であり、前記建築現場における前記携帯端末の位置を出力する端末位置出力手段を更に含む
請求項１乃至５のいずれか１項に記載の情報処理システム。
【請求項７】
建築現場において複数の作業者が共用する資機材を管理するためのプログラムであって、
前記資機材に設けられる発信手段から発信される信号に基づいて、前記建築現場における前記資機材が存在するエリアを特定するエリア特定手順と、
前記エリア特定手順が特定する結果に基づいて、当該エリアにおける前記資機材の数を特定可能な数特定情報を出力する出力手順と
を含むプログラム。
【発明の詳細な説明】
【技術分野】
【０００１】
本発明は、建築用共用資機材数量管理システム及びプログラムに関する。
【背景技術】
【０００２】
建築現場において、複数の作業者が共用する資機材を管理する方法が知られている。
【０００３】
例えば、まず、資機材の一例である高所作業車の稼働状態を把握するため、高所作業車に振動センサが設置される。そして、振動センサが測定する加速度と、閾値とを比較することで、スリープ状態を解除し、稼働状態を簡単かつ高精度に把握する方法が知られている。
【先行技術文献】
【特許文献】
【０００４】
【特許文献１】特開２０１７‐１７１４８０号公報
【発明の概要】
【発明が解決しようとする課題】
【０００５】
しかしながら、従来の方法では、共用する資機材の数がエリアごとに出力されないため、作業者は、共用する資機材の数を把握しづらい場合が多い。
【０００６】
本発明は、上記課題に鑑みてなされたものであり、建築現場における共用する資機材の数を把握しやすくすることを目的とする。
【課題を解決するための手段】
【０００７】
本発明の各実施形態に係る情報処理システムは、以下のような構成を有する。
【０００８】
建築現場において複数の作業者が共用する資機材（例えば、高所作業車１２０等である。）を管理するための情報処理システムは、
前記資機材に設けられる発信手段（例えば、発信器１２１等である。）から発信される信号に基づいて、前記建築現場における前記資機材が存在するエリアを特定するエリア特定手段（例えば、サーバ１０１による高所作業車の位置を更新する処理（ステップＳＡ０２）等である。）と、
前記エリア特定手段が特定する結果に基づいて、当該エリアにおける前記資機材の数を特定可能な数特定情報（例えば、数特定情報アイコンＩ２１である。）を出力する出力手段（例えば、サーバ１０１によるリクエストに応じた出力処理（ステップＳＡ０５）及び情報処理端末１０４によるリクエストに応じた画面を表示処理（ステップＳＢ０６）等である。）と
を含む。
【０００９】
また、情報処理システムは、前記資機材に関するプロフィール情報（例えば、プロフィール情報Ｄ２である。）と、前記発信手段とを対応させて登録する登録手段（例えば、第３画面ＰＬ３である。）を更に含み、
前記出力手段は、
前記数特定情報として、一のエリアに複数の資機材が存在することを示すアイコン（例えば、第１アイコンＩ１である。）を表示可能であり、
該アイコンが指定されることにより、当該アイコンに対応する資機材のうち、少なくともいずれかの資機材に関するプロフィール情報を表示するのが望ましい。
【００１０】
また、情報処理システムは、前記建築現場にて建築する建築物の図面データ（例えば、図面データＤ１である。）を入力する図面データ入力手段を更に含み、
前記出力手段は、
前記図面データが示す図面を表示する図面表示手段と、
前記図面表示手段が表示する図面に対応させて、前記エリアと、前記数特定情報とのうち、少なくとも一方を表示する対応表示手段（例えば、特定データＤ５である。）とを更に含むのが望ましい。
【００１１】
また、情報処理システムは、前記建築現場にて建築する建築物の階層別に、前記エリアが割り当てられており、
前記出力手段は、前記数特定情報として、前記階層ごとの前記資機材の合計数（例えば、表示バーＵＩ１である。）を表示するのが望ましい。
【００１２】
また、情報処理システムは、前記資機材を特定する条件が入力されると（例えば、条件入力画面ＰＬ７である。）、前記資機材のうち、前記条件に該当する資機材を検索する（例えば、検索結果画面ＰＬ８である。）検索手段を更に含むのが望ましい。
【００１３】
また、前記出力手段は、携帯端末に出力可能であり、前記建築現場における前記携帯端末の位置を出力する端末位置出力手段（例えば、現在位置表示画面ＰＬ９である。）を更に含むのが望ましい。
【００１４】
また、本発明の各実施形態に係る建築現場において複数の作業者が共用する資機材を管理するためのプログラムは、
前記資機材に設けられる発信手段から発信される信号に基づいて、前記建築現場における前記資機材が存在するエリアを特定するエリア特定手順（例えば、高所作業車の位置を更新する処理（ステップＳＡ０２）等である。）と、
前記エリア特定手順が特定する結果に基づいて、当該エリアにおける前記資機材の数を特定可能な数特定情報を出力する出力手順（例えば、サーバ１０１によるリクエストに応じた出力処理（ステップＳＡ０５）及び情報処理端末１０４によるリクエストに応じた画面を表示処理（ステップＳＢ０６）等である。）と
を含む。
【発明の効果】
【００１５】
本発明に係る各実施形態によれば、建築現場における共用する資機材の数を把握しやすくできる。
【図面の簡単な説明】
【００１６】
【図１】全体構成の一例を示す概念図である。
【図２】情報処理装置のハードウェア構成例を示すブロック図である。
【図３】全体処理例を示すフローチャートである。
【図４】機能構成例を示す機能ブロック図である。
【図５】図面データの例を示す図である。
【図６】プロフィール情報の例を示す図である。
【図７】エリアデータの例を示す図である。
【図８】図面データ、プロフィール情報及びエリアデータを用いた処理例を示す図である。
【図９】プロフィール情報を登録する画面例を示す図（その１）である。
【図１０】プロフィール情報を登録する画面例を示す図（その２）である。
【図１１】発信器の状態確認画面の例を示す図である。
【図１２】階層を指定する例を示す図である。
【図１３】情報処理システムによる表示例を示す図である。
【図１４】プロフィール情報を登録した結果例を示す図である。
【図１５】詳細表示の例を示す図である。
【図１６】検索例を示す図である。
【図１７】現在表示切替例を示す図である。
【図１８】一括出力の例を示す図である。
【発明を実施するための形態】
【００１７】
以下、各実施形態の詳細について添付の図面を参照しながら説明する。なお、各実施形態に係る明細書及び図面の記載において実質的に同一の機能構成を有する構成要素については、同一の符号を付することにより重複した説明を省く。
【００１８】
［第１実施形態］
＜情報処理システムを含む全体構成例＞
はじめに、本実施形態に係る情報処理システム１０がどのように使用されるかを具体例で説明する。
【００１９】
図１は、全体構成の一例を示す概念図である。以下、図示するように、共用する資機材の例である高所作業車１２０が複数の作業者の間で共用される建築現場を例に説明する。このように、情報処理システム１０は、建築現場における高所作業車１２０等の資機材を管理する。
【００２０】
例えば、情報処理システム１０は、サーバ１０１、第１情報処理端末１０２、第２情報処理端末１０３及び携帯端末の例である情報処理端末１０４等の情報処理装置を有する。また、サーバ１０１、第１情報処理端末１０２、第２情報処理端末１０３及び情報処理端末１０４は、有線又は無線で接続され、相互にデータを送受信することが可能である。したがって、情報処理システム１０では、サーバ１０１による処理結果が、第１情報処理端末１０２、第２情報処理端末１０３及び情報処理端末１０４等に出力され、各拠点又は現場事務所等で処理結果を見ることができる。また、第１情報処理端末１０２、第２情報処理端末１０３及び情報処理端末１０４等で操作を入力することで、サーバ１０１は、操作を受け付けることができる。
【００２１】
まず、建築現場では、高所作業車１２０に、ビーコン（Ｂｅａｃｏｎ）信号を発信する、発信手段の例である発信器１２１が設置される。さらに、建築現場における柱等にも、発信器１２２が設置される。以下、高所作業車１２０に設置される発信器１２１を「移動ビーコン」という場合がある。移動ビーコンは、高所作業車１２０が移動すると、一緒に移動するので位置が変動する。以下、移動ビーコンの位置は、高所作業車１２０の位置と同じであるとする。
【００２２】
一方で、発信器１２２は、設置されると、原則としては位置が固定となる。以下、発信器１２２を「固定ビーコン」という場合がある。したがって、固定ビーコンの位置は、あらかじめ設置される位置で固定であるとする。
【００２３】
また、この例における建築現場では、作業者２００及び２０１は、スマートフォン、タブレット又はノートＰＣ（Ｐｅｒｓｏｎａｌ  Ｃｏｍｐｕｔｅｒ）等の情報処理端末１０４を持つとする。以下、情報処理端末１０４が各発信器からの信号を受信する受信器になるとする。そして、図示する構成では、情報処理端末１０４は、各発信器からの信号が示す内容、すなわち、各発信器のそれぞれの位置が特定できるデータ（以下「測位データ」という。）をサーバ１０１に送信する。なお、データが送信されるタイミングは、あらかじめ設定される周期ごとでもよいし、不定期でもよい。
【００２４】
＜ハードウェア構成例＞
図２は、情報処理装置のハードウェア構成例を示すブロック図である。例えば、サーバ１０１は、図示するようなハードウェア構成である。また、第１情報処理端末１０２、第２情報処理端末１０３及び受信器となる情報処理装置は、例えば、同様のハードウェア構成である。以下、各情報処理装置は、同じハードウェア構成とする例とし、サーバ１０１を例に説明することで重複する説明を省略する。
【００２５】
例えば、サーバ１０１は、ＣＰＵ（Ｃｅｎｔｒａｌ  Ｐｒｏｃｅｓｓｉｎｇ  Ｕｎｉｔ）１０１Ｈ１と、記憶装置１０１Ｈ２と、ネットワークインターフェース１０１Ｈ３と、入力装置１０１Ｈ４と、出力装置１０１Ｈ５とを有するハードウェア構成である。
【００２６】
ＣＰＵ１０１Ｈ１は、演算装置及び制御装置の例である。
【００２７】
記憶装置１０１Ｈ２は、メモリ等の主記憶装置である。なお、記憶装置１０１Ｈ２は、ハードディスク又はＳＳＤ（Ｓｏｌｉｄ  Ｓｔａｔｅ  Ｄｒｉｖｅ）等の補助記憶装置を更に有してもよい。
【００２８】
ネットワークインターフェース１０１Ｈ３は、通信装置等である。例えば、ネットワークインターフェース１０１Ｈ３は、コネクタ又はアンテナ等である。そして、ネットワークインターフェース１０１Ｈ３は、ネットワークを介して、外部装置とデータを送受信する。
【００２９】
入力装置１０１Ｈ４は、人による操作を入力するインタフェースとなる装置である。例えば、入力装置１０１Ｈ４は、キーボード、マウス又はこれらの組み合わせである。
【００３０】
出力装置１０１Ｈ５は、人に処理結果等を出力するインタフェースとなる装置である。例えば、出力装置１０１Ｈ５は、ディスプレイ等である。なお、出力装置１０１Ｈ５は、音声等を出力してもよい。
【００３１】
なお、入力装置１０１Ｈ４及び出力装置１０１Ｈ５は、一体となるタッチパネル等でもよい。また、入力装置１０１Ｈ４及び出力装置１０１Ｈ５は、コネクタ等であって、外部装置とデータを送受信するインタフェースでもよい。
【００３２】
なお、各情報処理装置のハードウェア構成は、異なる構成でもよい。また、各情報処理装置は、図示するハードウェア構成に限られない。例えば、情報処理装置は、演算装置又は記憶装置等のハードウェア資源を内部又は外部に更に有してもよい。
【００３３】
＜全体処理例＞
図３は、全体処理例を示すフローチャートである。以下、情報処理システム１０が行う処理をサーバ１０１が行う処理と、情報処理端末１０４が行う処理とに分けて説明する。
【００３４】
図３（Ａ）は、サーバ１０１が行う処理の例を示す。また、図３（Ｂ）は、情報処理端末１０４が行う処理の例を示す。
【００３５】
さらに、図示する処理が行われる前に、事前処理によって、サーバ１０１等に、図示する処理に用いるデータがあらかじめ入力される。
【００３６】
＜測位データ等の受信例＞（ステップＳＢ０１）
ステップＳＢ０１では、情報処理端末１０４は、受信器となり、発信器である移動ビーコン及び固定ビーコン等から、測位データを受信する。
【００３７】
＜受信した測位データ等の送信例＞（ステップＳＢ０２）
ステップＳＢ０２では、情報処理端末１０４は、ステップＳＢ０１で受信した測位データをサーバ１０１に送信する。
【００３８】
＜情報処理端末からの受信例＞（ステップＳＡ０１）
ステップＳＡ０１では、サーバ１０１は、ステップＳＢ０２で送信された測位データを受信する。
【００３９】
＜高所作業車の位置の更新例＞（ステップＳＡ０２）
ステップＳＡ０２では、サーバ１０１は、ステップＳＡ０１で受信した測位データに基づいて高所作業車の位置を特定し、更新する。
【００４０】
まず、測位データがあると、サーバ１０１は、固定ビーコンと、移動ビーコンとの位置関係によって、それぞれの高所作業車の位置を特定できる。すなわち、サーバ１０１は、高所作業車が存在するエリアを特定できる。そして、サーバ１０１は、前回特定した高所作業車の位置を更新し、今回の特定結果にする。
【００４１】
＜高所作業車の位置等の出力例＞（ステップＳＡ０３）
ステップＳＡ０３では、サーバ１０１は、ステップＳＡ０２で更新した高所作業車の位置を情報処理端末１０４に出力する。
【００４２】
＜位置データ等の入力例＞（ステップＳＢ０３）
ステップＳＢ０３では、情報処理端末１０４は、ステップＳＡ０３で出力される高所作業車の位置等を示す位置データを入力する。
【００４３】
＜高所作業車の位置の表示例＞（ステップＳＢ０４）
ステップＳＢ０４では、情報処理端末１０４は、ステップＳＢ０３で入力する位置データ等を表示する。
【００４４】
＜リクエストの入力及び送信例＞（ステップＳＢ０５）
ステップＳＢ０５では、情報処理端末１０４は、作業者２００からリクエストを入力する。まず、ステップＳＢ０４によって、情報処理端末１０４は、作業者２００に高所作業車の位置等を示す画面を表示する。そして、作業者２００は、表示される画面等で様々なリクエストを入力する。次に、情報処理端末１０４は、入力されたリクエストをサーバ１０１に送信する。
【００４５】
＜リクエストの判定例＞（ステップＳＡ０４）
ステップＳＡ０４では、サーバ１０１は、ステップＳＢ０５で入力されたリクエストがどのような種類か等を判定する。
【００４６】
＜リクエストに応じた出力の例＞（ステップＳＡ０５）
ステップＳＡ０５では、サーバ１０１は、ステップＳＢ０４で判定したリクエストの種類等に応じて、リクエストに応じた形式等でデータを情報処理端末１０４に出力する。
【００４７】
＜リクエストに応じた画面の表示例＞（ステップＳＢ０６）
ステップＳＢ０６では、情報処理端末１０４は、ステップＳＡ０５で送信されたデータをリクエストされた形式等で出力する。
【００４８】
＜繰り返すか否かの判断例＞（ステップＳＡ０６）
ステップＳＡ０６では、サーバ１０１は、全体処理を繰り返すか否かを判断する。例えば、あらかじめ設定される周期で繰り返す設定である場合には、前回の処理から設定された周期の時間となると、情報処理システム１０は、繰り返しを行う。
【００４９】
繰り返すと判断されると（ステップＳＳＡ０６でＹＥＳ）、サーバ１０１は、ステップＳＡ０１に進む。一方で、繰り返さないと判断されると（ステップＳＡ０６でＮＯ）、サーバ１０１は、全体処理を終了する。
【００５０】
＜機能構成例＞
図４は、機能構成例を示す機能ブロック図である。例えば、情報処理システム１０は、エリア特定手段１０Ｆ１と、出力手段１０Ｆ２とを含む機能構成である。なお、情報処理システム１０は、図示するように、登録手段１０Ｆ３と、図面データ入力手段１０Ｆ４と、検索手段１０Ｆ５と、記憶手段１０Ｆ６とを更に含む機能構成であるのが望ましい。
【００５１】
さらに、出力手段１０Ｆ２は、図示するように、端末位置出力手段１０Ｆ２１と、対応表示手段１０Ｆ２２と、図面表示手段１０Ｆ２３とを更に含む機能構成であるのが望ましい。以下、図示するような機能構成を例に説明する。
【００５２】
エリア特定手段１０Ｆ１は、資機材に設けられる発信手段から発信される信号に基づいて、建築現場における資機材が存在するエリアを特定するエリア特定手順を行う。まず、あらかじめエリア設定が行われる。そして、エリア設定によって、エリアを示すエリアデータＤ３が生成される。例えば、エリア特定手段１０Ｆ１は、ネットワークインターフェース１０１Ｈ３等によって実現される。
【００５３】
出力手段１０Ｆ２は、エリア特定手段１０Ｆ１が特定する結果に基づいて、当該エリアにおける資機材の数を特定可能な数特定情報（以下単に「数特定情報」という。）等を出力する出力手順を行う。例えば、出力手段１０Ｆ２は、出力装置１０１Ｈ５又はネットワークインターフェース１０１Ｈ３等によって実現される。
【００５４】
登録手段１０Ｆ３は、資機材に関する情報（以下「プロフィール情報Ｄ２」という。）と、発信手段とを対応させて登録する登録手順を行う。例えば、登録手段１０Ｆ３は、入力装置１０１Ｈ４又はネットワークインターフェース１０１Ｈ３等によって実現される。
【００５５】
図面データ入力手段１０Ｆ４は、建築現場で建築する建築物の図面データＤ１を入力する図面データ入力手順を行う。例えば、図面データ入力手段１０Ｆ４は、入力装置１０１Ｈ４又はネットワークインターフェース１０１Ｈ３等によって実現される。
【００５６】
端末位置出力手段１０Ｆ２１は、建築現場における情報処理端末１０４の位置を出力する端末位置出力手順を行う。例えば、端末位置出力手段１０Ｆ２１は、出力装置１０１Ｈ５又はネットワークインターフェース１０１Ｈ３等によって実現される。
【００５７】
対応表示手段１０Ｆ２２は、図面表示手段１０Ｆ２３が表示する図面に対応させて、エリアと、数特定情報のうち、少なくともいずれか一方を表示する対応表示手順を行う。例えば、対応表示手段１０Ｆ２２は、出力装置１０１Ｈ５又はネットワークインターフェース１０１Ｈ３等によって実現される。
【００５８】
図面表示手段１０Ｆ２３は、図面データが示す図面を表示する画面表示手順を行う。例えば、図面表示手段１０Ｆ２３は、出力装置１０１Ｈ５又はネットワークインターフェース１０１Ｈ３等によって実現される。
【００５９】
検索手段１０Ｆ５は、資機材を特定する条件が入力されると、資機材のうち、条件に該当する資機材を検索する検索手順を行う。例えば、検索手段１０Ｆ５は、ＣＰＵ１０１Ｈ１等によって実現される。
【００６０】
記憶手段１０Ｆ６は、図面データＤ１、プロフィール情報Ｄ２及びエリアデータＤ３等のデータを記憶する。例えば、記憶手段１０Ｆ６は、記憶装置１０１Ｈ２等によって実現される。
【００６１】
＜処理結果例＞
まず、図面データＤ１は、例えば、以下のようなデータである。
【００６２】
図５は、図面データの例を示す図である。図示する例では、図面データＤ１は、建築物の１フロアを示す。このように、事前処理等で、建築現場で建築される建築物の図面データＤ１が入力されるのが望ましい。例えば、図面データは、ＣＡＤ（Ｃｏｍｐｕｔｅｒ  Ａｉｄｅｄ  Ｄｅｓｉｇｎ）データの形式で入力される。
【００６３】
具体的には、図面データＤ１は、図示するように建築物における柱ＰＳの位置等を示すデータである。
【００６４】
次に、プロフィール情報Ｄ２は、例えば、以下のようなデータである。
【００６５】
図６は、プロフィール情報の例を示す図である。例えば、ビーコン用のプロフィール情報Ｄ２は、事前処理等で、図示するように登録される。具体的には、プロフィール情報Ｄ２は、各測位データの識別情報となる「ｉｄ」、各ビーコンのＩＤを示す「ｕｕｉｄ」、各ビーコンを管理するための番号である「ｍａｊｏｒ」並びに「ｍｉｎｏｒ」、ビーコンの電波強度を示す値（ＲＳＳＩ値）のオフセット値である「ｒｓｓｌ＿ｏｆｆｓｅｔ」及び各ビーコンが使用か否かを示す「ｅｎａｂｌｅ」等の設定を示すデータである。
【００６６】
次に、エリアデータＤ３は、例えば、以下のようなデータである。
【００６７】
図７は、エリアデータの例を示す図である。例えば、エリアは、図示するように、区切線ＬＮで設定される。すなわち、この例では、区切線ＬＮで囲まれた範囲が、一のエリアとなる。
【００６８】
上記のような図面データＤ１、プロフィール情報Ｄ２及びエリアデータＤ３があると、例えば、情報処理システムは、以下のように処理できる。
【００６９】
図８は、図面データ、プロフィール情報及びエリアデータを用いた処理例を示す図である。まず、情報処理システムは、図面データＤ１にエリアデータＤ３を当てはめると、例えば、図８（Ａ）のようなエリア設定データＤ１３が生成できる。
【００７０】
図８（Ａ）は、エリア設定データの例を示す図である。そして、このようなエリア設定データＤ１３がある状態で固定ビーコンのプロフィール情報Ｄ２があると、情報処理システムは、例えば、図８（Ｂ）のような配置データＤ４が生成できる。
【００７１】
図８（Ｂ）は、配置データＤ４の例を示す図である。まず、固定ビーコンのプロフィール情報Ｄ２には、各固定ビーコンの位置が入力される。具体的には、図示する例では、第３アイコンＩ３が、配置データＤ４上において固定ビーコンの位置を示す。したがって、固定ビーコンのプロフィール情報Ｄ２に基づいて、情報処理システムは、配置データＤ４のように、エリア設定データＤ１３上に固定ビーコンを配置する。そして、配置データＤ４がある状態で、測位データがあると（すなわち、ステップＳＡ０１が行われた状態である。）、情報処理システムは、例えば、図８（Ｃ）のような特定データＤ５が生成できる。
【００７２】
図８（Ｃ）は、特定データＤ５の例を示す図である。図示するように、測位データがあると、測位データが示す電波強度等から、移動ビーコンの近くにある固定ビーコンが分かる。そして、各固定ビーコンは、プロフィール情報Ｄ２によって位置が分かる。そのため、情報処理システムは、例えば、特定データＤ５のように、高所作業車が存在するエリアを特定して表示できる。
【００７３】
そして、情報処理システムは、特定データＤ５のように、例えば、第１アイコンＩ１及び第２アイコンＩ２で高所作業車が存在するエリアを表示する。さらに、特定データＤ５のように、第１１アイコンＩ１１及び第２１アイコンＩ２１等で、エリアに存在する高所作業車の数を表示できる。
【００７４】
＜まとめ＞
まず、受信器等は、固定ビーコン及び移動ビーコン等が有する発信手段から信号を受け取る。次に、受信器は、信号から、各発信手段の位置を示す測位データ等を生成できる。このような測位データがあると、エリア特定手段１０Ｆ１は、発信器が設けられた資機材が存在するエリアを特定できる。
【００７５】
このように、エリア特定手段１０Ｆ１が、資機材が存在するエリア等を特定した結果があると、出力手段１０Ｆ２は、特定されたエリアに存在する資機材の数を特定可能な数特定情報を出力できる。このような結果、例えば、出力手段１０Ｆ２は、図８のような形式等で数特定情報を出力できる。
【００７６】
共用する資機材の数が多かったり、建築物が多層階であったりすると、作業者は、資機材を見失いやすい。このような場合には、人が各エリアを行き来して目視で確認する作業等が行われることがあるが、何度もエリアを移動しながら、それぞれの資機材の状態等を確認すると、負荷が大きくなりやすい。そこで、出力手段１０Ｆ２が数特定情報を出力すると、建築現場における共用する資機材の数を把握しやすくできる。
【００７７】
この結果、作業者は、遊休となっている資機材を見つけやすい。資機材は、使用している作業者がいない状態、いわゆる遊休の状態であれば、作業者は、資機材を使用して作業を行ってよい場合が多い。したがって、遊休となっている資機材を稼働させて資機材の稼働率を向上させると、建築現場において作業効率を改善できる。すなわち、効率の良い作業ができる。また、複数の作業者が同時に同じ資機材を使おうとするのを少なくできるため、資機材の奪い合い等を少なくすることができる。
【００７８】
［その他の実施形態］
＜図面データについて＞
図面データＤ１は、建築物の内部等を示すデータであればよい。したがって、図面データＤ１は、ＣＡＤデータの形式でなくともよい。例えば、図面データＤ１は、画像データの形式等でもよい。このように様々なデータ形式で図面データＤ１が入力できると、情報処理システム１０には、様々な形式で図面が入力できる。
【００７９】
また、入力されたデータが変換されて図面データＤ１となってもよい。例えば、ＣＡＤデータ形式以外の形式でデータが入力された場合には、データの入力後、後段の出力を行う処理で、図面が画面上に表示できるようにデータは、データ形式を変換される。すなわち、情報処理システム１０は、入力されるデータのデータ形式を図面として出力できる形式に変換してもよい。このようにデータ形式が変換できると、情報処理システム１０は、柔軟にデータを入力及び出力できる。
【００８０】
具体的には、例えば、２０階の建築物である場合には、２ＤのＣＡＤデータは、２０枚取り込まれる。一方で、３ＤのＣＡＤデータである場合には、データ数は、１つでよい。そして、３ＤのＣＡＤデータにおけるどの部分が、何階に相当するかを対応付ける処理を行う。又は、ＢＩＭ（Ｂｕｉｌｄｉｎｇ  Ｉｎｆｏｒｍａｔｉｏｎ  Ｍｏｄｅｌｉｎｇ）データによって、３ＤのＣＡＤデータと、各モデルに持たせた設計情報又は属性情報とを対応させると、いくつかのモデルから、情報処理システム１０は、何階かを判断できる。また、区域の名称等は、属性情報等から読み出して表示できる。
【００８１】
したがって、図面データ入力手順が行われると、情報処理システム１０は、図面データＤ１が示す図面を表示する図面表示手順を行うことができる。具体的には、例えば、図８等のように、情報処理システム１０は、建築物２０を図面で示し、図面に対応させて固定ビーコン及び移動ビーコン等を表示できる。
【００８２】
＜プロフィール情報について＞
プロフィール情報Ｄ２は、対応する資機材について画面上に表示する情報及び特性等を示す情報である。また、プロフィール情報Ｄ２は、資機材に対応して記憶され、対応する資機材の情報を表示する際等に参照される情報である。このように、プロフィール情報Ｄ２があると、情報処理システム１０は、資機材等について、様々な情報を出力することができる。
【００８３】
例えば、情報処理システム１０は、以下のような登録手段１０Ｆ３でプロフィール情報Ｄ２を登録できるのが望ましい。
【００８４】
図９は、プロフィール情報を登録する画面例を示す図（その１）である。
【００８５】
図１０は、プロフィール情報を登録する画面例を示す図（その２）である。
【００８６】
プロフィール情報Ｄ２は、例えば、図示するような第１画面ＰＬ１が示す表等に登録される。具体的には、図示するような表が、まず、第１画面ＰＬ１上に呼び出される。なお、既に登録済みの情報があると、登録済みの情報は、画面上に表示される。そして、画面に対して操作が行われると、作業者は、プロフィール情報Ｄ２を登録又は編集する操作ができる。このようにして、登録又は編集されたプロフィール情報Ｄ２は、例えば、サーバ１０１等に記憶される。
【００８７】
具体的には、図示する例では、プロフィール情報Ｄ２として「ｉｃｏｎ」、「資機材ＩＤ」、「表示名」及び「色」等が設定されている例である。なお、「ｉｃｏｎ」は、画面上に対象となる資機材を表示するためのアイコンの種類である。また、「資機材ＩＤ」は、各資機材の識別情報である。さらに、「表示名」は、資機材の名称等として表示される情報である。さらにまた、「色」は、画面上に表示する色を指定する情報である。
【００８８】
そして、プロフィール情報Ｄ２は、資機材に設けられる移動ビーコンと対応するように登録されるのが望ましい。そのため、複数の資機材が処理対象となるエリアに存在する場合であっても、情報処理システム１０は、どの資機材が選択中のエリアに存在しているか識別できる。同様に、固定ビーコンについても登録が行われる。
【００８９】
ゆえに、例えば、情報処理システム１０は、「６階」に存在する「３台」の資機材のうち、「高所作業車  １」、「高所作業車  ２」及び「高所作業車  ３」という名称を登録した資機材が当該エリアに存在すると識別できる。具体的には、事前処理によって、まず、固定ビーコンが登録される。そして、固定ビーコンについても、プロフィール情報Ｄ２が登録されるため、情報処理システム１０は、「６階」にある固定ビーコンを識別できる。したがって、「６階」にある固定ビーコンに近い位置で検出される移動ビーコンに対応する資機材は、「６階」に存在すると判断される。このように、「６階」に存在すると判断される資機材の数を数え、「６階」に資機材が３つあると判断されると、情報処理システム１０は、「６階」に「３台」の資機材が存在すると判断できる。
【００９０】
プロフィール情報Ｄ２は、例えば、リスト等の形式で表示される。図示するように、リストは、資機材を示すアイコンの画像及びあらかじめプロフィール情報Ｄ２として登録された「資機材名」等を示す。また、プロフィール情報Ｄ２等は、例えば、以下のような画面で登録される。
【００９１】
以下、図９に示す第１画面ＰＬ１及び図１０に示す第２画面ＰＬ２を用いて情報処理システム１０にプロフィール情報Ｄ２等を登録する例を説明する。なお、登録方法は、図示するような形式に限られない。
【００９２】
プロフィール情報Ｄ２と、資機材に設けられる発信手段とを対応させて登録する登録手順は、例えば、以下のように行われる。
【００９３】
まず、第１画面ＰＬ１及び第２画面ＰＬ２のどちらにもある「ｉｄ」は、いわゆる識別番号等である。したがって、「ｉｄ」が同一であると、「ｉｄ」に対する各項目に入力された情報は、同一の資機材等に関する情報である。以下、図示するように、各「ｉｄ」に対応するプロフィール情報Ｄ２等をリスト形式で示す場合を例に説明する。
【００９４】
例えば、プロフィール情報Ｄ２に含まれる各情報は、第３画面ＰＬ３等で登録される。図示する例では、「資機材ＩＤ」を示す部分がクリックされると、第３画面ＰＬ３が表示される例である。なお、新たに「ｉｄ」を作成してプロフィール情報Ｄ２等を登録する場合には、「新規作成」のボタンが押され、第３画面ＰＬ３が表示される。また、既に登録されているプロフィール情報Ｄ２等を変更する場合には、「編集」のボタンが押され、第３画面ＰＬ３が表示される。
【００９５】
具体的には、プロフィール情報Ｄ２として、第３画面ＰＬ３によって、「資機材ＩＤ」等が入力される。「資機材ＩＤ」は、資機材を識別するためのＩＤ（Ｉｄｅｎｔｉｆｉｃａｔｉｏｎ）を示す番号等である。図示するように、プロフィール情報Ｄ２として、「パスワード」及び「アイコン」等が入力されてもよい。なお、プロフィール情報Ｄ２は、図示するような項目及び入力形式でなくともよい。
【００９６】
図示するように、登録手順は、例えば、第３画面ＰＬ３によって実現される。図示するように、第３画面ＰＬ３には、プロフィール情報が入力される。そして、第３画面ＰＬ３に入力されるプロフィール情報は、図示するように、資機材、すなわち、移動ビーコンと対応するように登録手順によって登録される。
【００９７】
以上のように、移動ビーコン及び固定ビーコンは、いわゆるデータベース等の形式で管理される。
【００９８】
＜エリアデータについて＞
図７に示すように、エリアデータには、「エリア名」等の付随情報ＩＮＦ１が入力されてもよい。ほかにも、例えば、「Ｘ座標」及び「Ｙ座標」のように、エリアの座標値等が付随情報ＩＮＦ１として入力されてもよい。すなわち、エリアは、座標値等で設定されてもよい。また、付随情報ＩＮＦ１は、図示する以外の種類があってもよい。このように、付随情報ＩＮＦ１が入力できると、情報処理システム１０には、エリアの名称等が合わせて入力でき、管理が容易にできる。
【００９９】
＜発信器の状態確認を行う形態について＞
携帯端末等によって、例えば、以下のように電波強度が計測できてもよい。
【０１００】
図１１は、発信器の状態確認画面の例を示す図である。例えば、携帯端末等によって、登録された情報と、計測された電波強度とが対応付けされて、図示するように、計測結果等が表示される。なお、情報処理システム１０は、計測の結果、電波強度に問題がある発信器をアラーム等で知らせてもよい。ほかにも、情報処理システム１０は、計測の結果、登録していて電波強度がない発信器又は登録していない発信器が発する電波（ビーコン信号）があること等を知らせてもよい。
【０１０１】
具体的には、図示する例では、情報処理システム１０は、各発信器が発信する電波を計測した結果（以下「電波情報ＩＮＦ３」という。）等を表示する。図示するように、電波情報ＩＮＦ３は、現在位置の図面等と併せて表示されてもよい。具体的には、電波情報ＩＮＦ３として、「ｍａｊｏｒ」番号ＩＮＦ３１、「ｍｉｎｏｒ」番号ＩＮＦ３２、電波強度ＩＮＦ３３及び表示名ＩＮＦ３４等が表示される。また、図示する例は、電波強度が、バー表示ＩＮＦ３５等で表示される例である。このような画面があると、管理者等は、メンテナンス等の場合に、発信器の状態を確認できる。すなわち、発信器は、故障等であると、電源をＯＮにする等の状態にしても、電波を発信できない場合がある。電波が肉眼では見えないため、このような電波情報ＩＮＦ３があると、管理者等は、発信器の故障等を簡単に発見できる。
【０１０２】
なお、情報処理システム１０は、電池が電池の少ない状態である等を知らせてもよい。ほかにも、情報処理システム１０は、電波情報ＩＮＦ３に基づいて、発信器の設置し忘れ等を検出し、管理者等に知らせてもよい。また、電波情報ＩＮＦ３及び発信器の状態確認画面は、図示するような形式でなくともよい。
【０１０３】
なお、電波情報ＩＮＦ３は、例えば、電波強度が強い順に並べられる。したがって、電波強度が変化すると、表示される順序が並べ替えされる処理が行われてもよい。
【０１０４】
また、図示するような発信器の状態は、例えば、事前準備等に確認される。
【０１０５】
＜各資機材が存在するエリアの特定について＞
情報処理システム１０は、各資機材が存在するエリアを特定するエリア特定手順を例えば以下のように行うのが望ましい。まず、固定ビーコンの位置は、設置の際に登録されて既知であるとする。このような場合には、情報処理システム１０は、測位データ等から、近くにある固定ビーコンが特定できるため、情報処理システム１０は、移動ビーコンが設置された資機材がどのエリアに存在しているかを特定できる。
【０１０６】
エリア特定手順を行うため、まず、例えば、図１０に示すような第２画面ＰＬ２において、対応する資機材に設けられる発信器１２１の情報（以下「発信器情報ＩＮＦ２」という。）等があらかじめ登録される。例えば、発信器情報ＩＮＦ２は、第４画面ＰＬ４等で入力される。発信器情報ＩＮＦ２が登録されると、サーバ１０１は、測位データ等を受信した場合にデータの送信元となった発信器を特定できる。具体的には、「ｕｕｉｄ」があらかじめ第４画面ＰＬ４等で入力され、かつ、測位データに「ｕｕｉｄ」と同様の内容を示すデータが含まれていると、サーバ１０１は、測位データを送信した発信器を特定できる。
【０１０７】
なお、発信器情報ＩＮＦ２は、例えば、図１０（Ｂ）に示すような項目の情報である。図示する例では、「ｉｄ」に、管理上の通し番号等が設定される。「ｕｓｅｒｎａｍｅ」には、対応する移動ビーコンで管理する資機材の名称等が入力される。「ｍａｊｏｒ」及び「ｍｉｎｏｒ」は、ビーコンを管理するのに用いる番号である。「ｒｓｓｌ＿ｏｆｆｓｅｔ」は、電波強度の計測結果等である。「ｅｎａｂｌｅ」は、各ビーコンが使用可能な状態であるか否かの状態を示す情報である。
【０１０８】
すなわち、エリア特定手順は、例えば、まず、固定ビーコンからの信号と、移動ビーコンからの信号とを受信する。これらの信号があると、固定ビーコンと、移動ビーコン位置関係から、資機材が存在する位置が特定できる。すなわち、情報処理システム１０は、資機材が存在するエリアを特定できる。
【０１０９】
エリア特定手段は、サーバ１０１による作業車位置更新処理、すなわち、ステップＳＡ０２での処理を例示したが、情報処理端末１０４側で処理が行われてもよい。この場合には、情報処理端末１０４には、図面データＤ１と、エリアデータＤ３とを記憶しておく手段が必要になる。これによれば、サーバ１０１と、情報処理端末１０４とが、オフラインであっても、作業車の位置を特定することができる。
【０１１０】
＜出力形式の指定について＞
情報処理システム１０には、作業者が出力形式をリクエストできるのが望ましい。例えば、エリアは、階層で設定されてもよい。具体的には、エリアを階層とするのに、例えば、以下のような操作が行われる。
【０１１１】
図１２は、階層を指定する例を示す図である。例えば、情報処理端末１０４は、情報処理システム１０が出力するリクエストに応じて出力するデータ（ステップＳＡ０５で出力されるデータである。）を受信すると、図１２（Ａ）が示すような画面を表示できる（ステップＳＢ０６）。
【０１１２】
具体的には、図１２（Ａ）は、現在位置について、数特定情報（エリア特定手順の処理結果となる。）等が出力されている状態の例である。すなわち、この例では、情報処理端末１０４を有する作業者は、「６階」のエリアにいる場合である。そして、この例では、情報処理端末１０４は、画面に、階層を指定する用の階層指定ボタンＢＴ１を表示する。また、この例では、図示するように、情報処理端末１０４は、画面に、エリアに存在する資機材の合計数ＩＮＦ４を表示する。
【０１１３】
階層指定ボタンＢＴ１は、図示するように、作業者が階層指定ボタンＢＴ１を押す操作を入力すると、階層を指定するための指定画面ＰＬ５を表示するように遷移するＧＵＩである。
【０１１４】
図１２（Ｂ）に示すように、指定画面ＰＬ５が表示されると、作業者は、情報処理端末１０４に表示させるエリアを切り替えるリクエストができる。具体的には、まず、作業者がボタンＢＴ３１のいずれかを押すと、情報処理端末１０４は、表示する階層指定ボタンＢＴ３２を切り替える。次に、作業者が「７Ｆ」についての表示をリクエストするため、図１２（Ｂ）において、階層指定ボタンＢＴ３２のうち、「７Ｆ」を押すと、情報処理端末１０４は、例えば、図１２（Ｃ）のような画面を表示する。
【０１１５】
図１２（Ｃ）は、作業者が指定した階層の表示に切り替えられた後の画面の例である。図示するように、図１２（Ｃ）は、エリアを「７階」とする場合の数特定情報等を示す。したがって、図１２（Ｃ）では、情報処理端末１０４は、第４１アイコンＩ４１、第４２アイコンＩ４２、第４３アイコンＩ４３及び第４４アイコンＩ４４で資機材の位置を表示するように切り替える。同様に、図１２（Ｃ）では、情報処理端末１０４は、第４１１アイコンＩ４１１、第４２１アイコンＩ４２１、第４３１アイコンＩ４３１及び第４４１アイコンＩ４４１で、それぞれのエリアに存在する資機材の合計数を表示するように切り替える。
【０１１６】
以上のようなリクエストが行われると（ステップＳＢ０５）、情報処理システム１０は、リクエストで指定された出力形式でデータを出力し（ステップＳＡ０５）、情報処理端末１０４は、リクエストに応じた出力を行う（ステップＳＢ０６）。
【０１１７】
＜数特定情報等の出力例＞
情報処理システム１０は、リクエストに応じた形式で数特定情報等を出力できるのが望ましい。例えば、図面データＤ１が入力されると、情報処理システム１０は、高所作業車１２０等が存在するエリアが特定された場合には、特定したエリア、すなわち、高所作業車１２０の位置を図面上にプロットして表示できる。具体的には、例えば、情報処理システム１０は、以下のような情報を出力できる。
【０１１８】
図１３は、情報処理システムによる表示例を示す図である。例えば、情報処理システム１０は、図１３（Ａ）に示すような表示を画面上に出力する。具体的には、情報処理システム１０は、まず、建築現場で対象となる建築物２０において、ある階を示す図面を表示する。そして、図示するように、情報処理システム１０は、例えば、建築物２０を所定の区域に区切って表示する。
【０１１９】
図１３（Ａ）に示す例は、１フロアとなる空間を図面において、縦方向に３区域かつ横方向に３区域に区切り、合計して９区域となるように区切って表示する例である。なお、区域の区切り方は、設定できてよい。例えば、１区域の面積、境界線の位置又は各区域のそれぞれの名称等は、あらかじめ設定できてよい。
【０１２０】
そして、図１３（Ａ）に示すように、図面データＤ１が入力されると、情報処理システム１０は、高所作業車１２０の位置第１アイコンＩ１及び第２アイコンＩ２等で示すことができる。
【０１２１】
また、図１３（Ａ）に示す例における第１アイコンＩ１及び第２アイコンＩ２のように、アイコンは、一のエリアの例である区域に、複数の高所作業車１２０が存在することを示せるのが望ましい。
【０１２２】
具体的には、図１３（Ａ）に示す例では、第１アイコンＩ１は、左から３列目かつ上から２行目の区域に、高所作業車１２０が存在することを示す。さらに、第１アイコンＩ１は、第１１アイコンＩ１１を有し、第１１アイコンＩ１１によって、「３」という情報を示すことで当該区域に高所作業車１２０が「３台」存在することを示す。
【０１２３】
同様に、図１３（Ａ）に示す例では、第２アイコンＩ２は、左から１列目かつ上から３行目の区域に、高所作業車が存在することを示す。さらに、第２アイコンＩ２は、第２１アイコンＩ２１を有し、第２１アイコンＩ２１によって、「６」という情報を示すことで当該区域に高所作業車１２０が「６台」存在することを示す。
【０１２４】
このように、情報処理システム１０は、第１１アイコンＩ１１及び第２１アイコンＩ２１等のように、数特定情報をアイコン等で示すのが望ましい。また、数特定情報は、図示するように、エリアごとに、それぞれのエリアに存在する資機材の合計数を示す情報であるのが望ましい。このような形式で数特定情報が出力されると、情報処理システム１０は、数特定情報を作業者に分かりやすく伝えることができる。
【０１２５】
図示する例では、数特定情報は、第１１アイコンＩ１１及び第２１アイコンＩ２１で出力される例である。
【０１２６】
なお、数特定情報は、図示するような第１１アイコンＩ１１及び第２１アイコンＩ２１で出力される形式に限られない。例えば、情報処理システム１０は、アイコンを６つ表示して資機材の数を表現してもよい。又は、情報処理システム１０は、アイコンの大きさを異ならせて表示して資機材の数を表現してもよい。
【０１２７】
また、図１３（Ａ）に示す例のように、情報処理システム１０は、固定ビーコンの位置を第３アイコンＩ３等で示すのが望ましい。このような構成であると、情報処理システム１０は、固定ビーコンの位置も図面上に表示でき、ビーコンのメンテナンス又は施工を行う階が移る場合に好ましい。
【０１２８】
ほかにも、情報処理システム１０は、エリアを階層としてもよい。すなわち、情報処理システム１０は、作業者から、階層別に数特定情報等を出力するようにリクエストを受け付けてもよい。具体的には、情報処理システム１０は、例えば、図１３（Ｂ）のような形式で数特定情報等を出力するようにリクエストを受け付けてもよい。
【０１２９】
図１３（Ｂ）では、建築物２０は、３０階の階層がある構造とする。そして、図示するように、情報処理システム１０は、階層別にエリアを割り当てる。図示する例では、情報処理システム１０は、３０階のうち、エリア切替ＥＳＷへの入力に応じて、１階から１０階までの各階層に対応させて、それぞれの階層に存在する数特定情報ＩＮＦ６を「台数」で表示する。
【０１３０】
具体的には、まず、エリア切替ＥＳＷで、「１−１０Ｆ」が選択されたとする。図示する例では、情報処理システム１０は、５階（図では、階層表示ＩＮＦ５で「５Ｆ」と示すエリアである。）には、合計して「２０台」の資機材があることを示す。なお、全階層切替ＡＳＷが押された場合には、全エリアの数特定情報が表示される。
【０１３１】
このように、情報処理システム１０は、階層ごと、エリアに存在する資機材の合計数を表示してもよい。そして、階層がエリアとして設定されると、情報処理システム１０は、各階層にある資機材の合計数等が分かりやすく表示できる。
【０１３２】
すなわち、情報処理システム１０は、建築物の階層別に、エリアが割り当てられると、図１３（Ｂ）等のように、階層別の表示が出力可能となる。そして、情報処理システム１０は、階層ごとの資機材の合計数を表示する図１３（Ｂ）のような画面を表示するように遷移する。
【０１３３】
さらに、情報処理システム１０は、例えば、図１３（Ｃ）に示すような表示が可能であってもよい。例えば、図１３（Ｃ）に示す例のように、情報処理システム１０は、画面の右側で、図１３（Ａ）と同様に、図面データに基づいて建築物２０の構造を示す図面と、資機材を示すアイコンとを表示する。
【０１３４】
また、図１３（Ｃ）に示す画面では、情報処理システム１０は、画面の左側で、図示するように、現在選択されているエリアと、選択中のエリアに存在する資機材の合計数とを示す表示バーＵＩ１等を表示する。図示するように、表示バーＵＩ１は、例えば、「階選択」の欄で「６Ｆ」のように、現在選択中のエリアが「６階」であることを示し、かつ、「６階」に資機材が合計して「１０台」存在することを示すＧＵＩ（Ｇｒａｐｈｉｃａｌ  Ｕｓｅｒ  Ｉｎｔｅｒｆａｃｅ）の例である。このような形式で、情報処理システム１０は、階層ごと、エリアに存在する資機材の合計数を表示してもよい。
【０１３５】
なお、図１３（Ｃ）に示すように、合計数は、表示されてない区域に存在する資機材も含めて合計した数でもよい。
【０１３６】
以上のような画面は、情報処理システム１０が、エリア特定手順の結果に基づいて、出力手順を行うことで表示できる。すなわち、情報処理システムが、出力手順を行うと、図８等に示すような画面が表示されるように画面が遷移する。ほかにも、出力手順によって以下のような画面が表示されてもよい。
【０１３７】
図１４は、プロフィール情報を登録した結果例を示す図である。すなわち、事前処理等でプロフィール情報Ｄ２が登録されると、情報処理システム１０は、例えば、図示するような画面を表示できる。具体的には、図示する画面は、エリアを「６階」とする場合の例である。したがって、情報処理システム１０は、図示するように、画面の右側に建築物２０の構造を示す図面等を表示し、かつ、「６階」に「３台」の高所作業車１２０が存在することを示すアイコンを表示する。
【０１３８】
この例では、プロフィール情報Ｄ２は、画面の左側で表示される「資機材名」等である。なお、プロフィール情報Ｄ２をどのような項目にするかは、情報処理システム１０にあらかじめ設定できる。
【０１３９】
ほかにも、情報処理システム１０は、移動等により、高所作業車１２０がエリアの境界上等にある場合には、ある程度、ゆっくりと表示を切り替えるのが望ましい。高所作業車１２０がエリアの境界を行き来する場合等では、アイコン等が激しく切り替わる場合がある。このような表示は、見にくい場合が多い。そこで、情報処理システム１０は、短期間に何度もエリアを変更して高所作業車１２０を表示するのを防ぐのが望ましい。そのため、高所作業車１２０が２つのエリアにまたがっている場合には、表示が激しく切り替わるのを防ぐため、不感帯となるバッファ等があってもよい。
【０１４０】
ほかにも、情報処理システム１０は、例えば、以下のようなリクエストに応じることができるのが望ましい。
【０１４１】
＜詳細表示例＞
例えば、第２１アイコンＩ２１のように、複数の高所作業車１２０を示すアイコンが表示されている場合には、それぞれの高所作業車１２０の詳細が表示されるように、リクエストができるのが望ましい。
【０１４２】
具体的には、第２１アイコンＩ２１を押すことでリクエストが行われると、複数の高所作業車１２０について、それぞれの情報が、例えば、出力手順によって以下のように表示されてもよい。
【０１４３】
図１５は、詳細表示の例を示す図である。例えば、図１５（Ａ）に示すように、情報処理システム１０は、「６台」の高所作業車１２０を示す第２アイコンＩ２を表示する。
【０１４４】
次に、図１５（Ａ）に示すように、作業者が、リクエストとして、第２アイコンＩ２を押す操作を行う。このような操作が行われると、情報処理システム１０は、例えば、リクエストに応じて、図１５（Ｂ）に示すような画面を表示する。
【０１４５】
図１５（Ｂ）は、図１５（Ａ）と比較すると、詳細表示画面ＰＬ６が加わる点が異なる。図示するように、詳細表示画面ＰＬ６は、「６台」の高所作業車の内訳を示す。具体的には、詳細表示画面ＰＬ６は、「６台」の高所作業車１２０のそれぞれの名前等を示す。具体的には、プロフィール情報Ｄ２等により、高所作業車１２０には、「表示名」等があらかじめ登録できる。したがって、詳細表示画面ＰＬ６は、登録されているプロフィール情報Ｄ２等に基づいて、図示するように、名称又は種類等を表示する。なお、詳細表示画面ＰＬ６が表示する項目は、図示する項目に限られず、他の項目に設定できてもよい。
【０１４６】
＜検索例＞
作業者は、リクエストとして、情報処理端末１０４等に条件を入力し、情報処理システム１０は、条件に該当する資機材を検索する構成であるのが望ましい。具体的には、検索は、以下のように行われる。
【０１４７】
図１６は、検索例を示す図である。まず、情報処理システムは、携帯端末に、検索条件が入力できるＧＵＩを表示させる。
【０１４８】
図１６（Ａ）は、条件入力画面ＰＬ７の例である。例えば、条件入力画面ＰＬ７は、検索条件として作業者に、「車種」を指定させる。図示する例では、「車種」は、「Ａ」乃至「Ｄ」の４種類である。以下、図示するように、条件入力画面ＰＬ７において、「車種」を「Ａ」とする条件が入力された例で説明する。このような条件が入力されると、例えば、情報処理システム１０は、図１６（Ｂ）に示すような検索結果画面ＰＬ８に表示する。
【０１４９】
図１６（Ｂ）は、図１６（Ａ）で入力された条件に該当する高所作業車１２０を検索した結果である。図示するように、検索結果画面ＰＬ８は、図１６（Ａ）で入力された条件に該当する高所作業車１２０を「名前」等で示し、かつ、条件に該当する高所作業車１２０の存在するエリアを「階」及び「区域」等で示す。なお、図示するように、条件に該当する高所作業車１２０に対応する「車種」及び「貸出先」等の情報が併せて表示されてもよい。
【０１５０】
また、この例における「名前」、「車種」及び「貸出先」等の情報は、プロフィール情報Ｄ２等から読み出される。さらに、「階」及び「エリア」は、測位データで特定されたエリア等が表示される。
【０１５１】
以上のようにリクエストに応じて、検索ができると、作業者は、所定の条件に該当する高所作業車１２０を容易に探すことができる。すなわち、例えば、図１６（Ａ）に示すように、条件が入力されると、情報処理システム１０は、入力された条件に該当する高所作業車１２０を検索する検索手順を行う。したがって、検索手順が行われると、画面は、図１６（Ｂ）が表示されるように遷移する。
【０１５２】
なお、条件に該当する高所作業車１２０が画面に表示されている場合には、情報処理システム１０は、条件に該当する高所作業車１２０を強調して表示してもよい。例えば、情報処理システム１０は、条件に該当する高所作業車１２０を色を変えて表示したり、点滅表示としたり、又は、所定の色で塗りつぶしたりして強調させて表示してもよい。このような強調表示があると、作業者は、条件に該当する高所作業車１２０をより探しやすい。
【０１５３】
＜現在表示切替例＞
作業者は、情報処理端末１０４等に、現在位置を表示するようリクエストを入力でき、情報処理システム１０は、リクエストに応じて現在位置を表示するように切り替える構成であるのが望ましい。具体的には、現在位置に切替は、以下のように行われる。
【０１５４】
図１７は、現在表示切替例を示す図である。まず、以下の例では、エリアは、階層であるとする。さらに、作業者は、あらかじめ操作することで、「５階」を表示するよう操作したとする。
【０１５５】
図１７（Ａ）は、作業者の操作に基づいて、「５階」を示す画面例である。一方で、現在位置は、「６階」であるとする。そして、図１７（Ａ）に示すように、作業者は、現在表示切替ボタンＢＴ２を押す操作を行うことで、リクエストを入力する。なお、操作を入力する方法は、現在表示切替ボタンＢＴ２を押すに限られない。
【０１５６】
現在表示切替ボタンＢＴ２が押されると、情報処理システム１０は、表示する画面を図１７（Ａ）から図１７（Ｂ）のような画面に遷移させる。以下、図１７（Ｂ）に示すように、現在位置を示す画面を現在位置表示画面ＰＬ９という。
【０１５７】
現在位置表示画面ＰＬ９は、現在位置の例である「６階」を示す画面例である。図示するように、図１７（Ａ）では、画面は、「５階」について表示していたが、現在位置表示画面ＰＬ９では、画面は、「６階」を表示するように切り替わっている。
【０１５８】
なお、現在位置は、例えば、情報処理端末１０４の位置等とされる。また、現在位置を表示する画面では、現在位置表示画面ＰＬ９のように、情報処理システム１０は、作業者に最も近い位置にある高所作業車１２０を塗りつぶし等で示してもよい。図示する例では、黒部分ＵＩ３が、作業者に最も近い位置にある高所作業車１２０を示す。黒部分ＵＩ３等の表示があると、作業者は、自分の近くにある高所作業車１２０を容易に探すことができる。
【０１５９】
＜一括した出力又は入力の例＞
情報処理システム１０は、リクエストに応じて、情報を一括して出力してもよい。例えば、情報処理システム１０は、以下のような形式で情報を出力してもよい。
【０１６０】
図１８は、一括出力の例を示す図である。例えば、情報処理システム１０は、図１８（Ａ）に示すような出力ファイルＤＯＵＴを出力する。
【０１６１】
図１８（Ａ）に示すように、出力ファイルＤＯＵＴは、複数の高所作業車１２０についての情報を示す。なお、出力ファイルＤＯＵＴは、例えば、ＣＳＶファイル等の形式である。また、この例では、高所作業車１２０についての情報は、１行ずつ記載される。そして、各項目は、「，（カンマ）」で区切られて記載される形式である。具体的には、「ｉｄ」、「ｕｓｅｒ」、・・・の順で記載される項目は、あらかじめ図１８（Ｂ）のように設定された項目及び順序で出力される。
【０１６２】
図１８（Ｂ）は、出力ファイルＤＯＵＴで出力される項目の例を示す。具体的には、「ｉｄ」は、測位データの通番を示し、出力ファイルＤＯＵＴでは、各行の１番左に記載される情報が該当する。また、出力ファイルＤＯＵＴにおける「ｉｄ」は、図１０（Ａ）等で登録される「ｕｕｉｄ」等が対応する。
【０１６３】
一方で、情報処理システム１０には、一括して設定等が入力できるのが望ましい。例えば、情報処理システム１０は、第３画面ＰＬ３等で入力する各項目の情報を複数の資機材について、ＣＳＶファイル等で入力する。このようにすると、例えば、登録する資機材が多くある場合等には、第３画面ＰＬ３等で入力するよりも、操作の負荷が軽くできる。
【０１６４】
＜資機材について＞
資機材は、高所作業車１２０に限られない。資機材は、建築現場で共通に使用され、かつ、作業後、建築現場に放置され得る物体であればよい。例えば、資機材は、材料、足場又は複数の作業者が共用する建築現場で使用する道具等も該当する。具体的には、資機材は、柵台、ブロア、高所作業車、仮設材又は資材等である。また、資機材は、移動が可能である。
【０１６５】
＜全体構成について＞
なお、情報処理システムは、図１のような構成に限られない。すなわち、情報処理システムが有する情報処理装置は、１台でもよいし、２台以上の複数であってもよい。
【０１６６】
＜信号について＞
各発信器が発信する信号は、例えば、近距離無線通信等の規格に準じた信号である。具体的には、信号は、例えば、周波数を２．４  ＧＨｚとする信号等である。また、信号は、Ｂｌｕｅｔｏｏｔｈ（登録商標）又は無線ＬＡＮ（Ｌｏｃａｌ  Ａｒｅａ  Ｎｅｔｗｏｒｋ）等の規格に準じた信号である。なお、信号は、Ｂｌｕｅｔｏｏｔｈで実現されるのが望ましい。Ｂｌｕｅｔｏｏｔｈを用いると、発信器及び受信器等は、ＢＬＥ（Ｂｌｕｅｔｏｏｔｈ  Ｌｏｗ  Ｅｎｅｒｇｙ）等を構成でき、低消費電力な通信ネットワーク網を構築できる。ただし、通信ネットワーク網は、様々な通信方式を組み合わせて用いてもよい。
【０１６７】
＜発信手段について＞
発信手段は、発信器を例示したが、位置を特定するための信号が出力できればよい。上記の例では、発信器は、短信号＋ＩＤを出力する例であるが、これに限らず、例えば、（Ｘ〇〇、Ｙ〇〇、Ｚ〇〇）等のように、３次元の座標情報を自ら特定し、信号で出力する発信器でもよい。この場合には、発信器の位置をより高い精度で特定でき、サーバの負担を減らすことができる。また、信号は、電波でも超音波でもよい。
【０１６８】
発信器及び受信器は、取り外し可能でもよい。
【０１６９】
また、各情報は、作業者等が修正可能でもよい。例えば、資機材の位置等は、検出精度等の影響により、実際の位置と、携帯端末等に表示される位置とでずれが生じる場合がある。このような場合には、作業者は、目視で確認した資機材の位置等に、資機材が表示されるように修正する操作が入力できてもよい。
【０１７０】
なお、数特定情報を示す数字等は、画面を拡大又は縮小する操作が行われても、大きさがほぼ維持されるのが望ましい。
【０１７１】
また、実施形態では、資機材が高所作業車等の稼働する設備等である場合には、資機材が稼働中であるか否かが検出されてもよい。そして、情報処理システムは、稼働状態を画面上に表示するのが望ましい。このような表示があると、作業者は、近くにある稼働していない資機材、すなわち、使用可能な資機材を見つけやすい。なお、情報処理システムは、稼働していない資機材を優先して表示するのがより望ましい。
【０１７２】
そして、情報処理システムは、移動中の資機材と、停止中の資機材とを区別して表示してもよい。
【０１７３】
なお、実施形態では、作業者の位置又は数等が表示されてもよい。例えば、図８（Ｂ）に示す画面において「全フロア」のボタンが押された場合等では、情報処理システムは、全階層にいる作業者の合計数又は位置等を更に表示してもよい。
【０１７４】
なお、アイコンの絵、大きさ又は配置等は、上記に説明した通りでなくともよい。つまり、アイコンの絵、大きさ又は配置等は、あらかじめ管理者等が設定できてもよい。
【０１７５】
なお、発信器の位置を検出する方法は、信号を用いる方法であればよい。つまり、実施形態では、資機材が存在するエリアが特定できる程度に発信器の位置が検出できる方法であれば、いずれも適用できる。
【０１７６】
実施形態は、上記の例に限られない。例えば、情報処理装置の数は、上記の数に限られない。また、情報処理装置の種類及び組み合わせも、上記の構成でなくともよい。
【０１７７】
実施形態は、上記の処理に限られない。例えば、本発明に係る情報処理方法は、上記に説明した以外の順序で行われてもよい。また、情報処理方法は、複数の情報処理装置で実行されてもよい。つまり、情報処理方法における各ステップは、冗長、分散、並列、仮想化又はこれらの組み合わせで実行されてもよい。
【０１７８】
実施形態は、プログラムによって実現されてもよい。すなわち、情報処理装置等のコンピュータは、プログラムに基づいて、演算装置及び記憶装置等を制御して上記の情報処理方法を実行してもよい。また、プログラムは、コンピュータが読み取り可能な記録媒体に記録されて頒布することができる。なお、記録媒体は、磁気テープ、フラッシュメモリ、光ディスク、光磁気ディスク又は磁気ディスク等のメディアである。さらに、プログラムは、電気通信回線を通じて頒布することができる。
【０１７９】
なお、上記実施形態に挙げた構成等に、その他の要素との組み合わせ等、上記の構成に本発明が限定されるものではない。これらの点に関しては、本発明の趣旨を逸脱しない範囲で変更することが可能であり、その応用形態に応じて適切に定めることができる。
【符号の説明】
【０１８０】
１０                    ：情報処理システム
１０Ｆ１                ：エリア特定手段
１０Ｆ２                ：出力手段
１０Ｆ２１              ：端末位置出力手段
１０Ｆ２２              ：対応表示手段
１０Ｆ２３              ：図面表示手段
１０Ｆ３                ：登録手段
１０Ｆ４                ：図面データ入力手段
１０Ｆ５                ：検索手段
２０                    ：建築物
１０４                  ：情報処理端末
１２０                  ：高所作業車
２００、２０１          ：作業者
Ｉ１                    ：第１アイコン
Ｉ２                    ：第２アイコン
Ｉ２１                  ：数特定情報アイコン
Ｉ１１                  ：数特定情報アイコン
Ｄ２                    ：プロフィール情報
ＩＮＦ２                ：発信器情報
ＩＮＦ３                ：電波情報
ＤＯＵＴ                ：出力ファイル
【図１】
2019179357.tif 000003
【図２】
2019179357.tif 000004
【図３】
2019179357.tif 000005
【図４】
2019179357.tif 000006
【図５】
2019179357.tif 000007
【図６】
2019179357.tif 000008
【図７】
2019179357.tif 000009
【図８】
2019179357.tif 000010
【図９】
2019179357.tif 000011
【図１０】
2019179357.tif 000012
【図１１】
2019179357.tif 000013
【図１２】
2019179357.tif 000014
【図１３】
2019179357.tif 000015
【図１４】
2019179357.tif 000016
【図１５】
2019179357.tif 000017
【図１６】
2019179357.tif 000018
【図１７】
2019179357.tif 000019
【図１８】
2019179357.tif 000020